(57)【要約】【課題】ユーザがリモコンを使用できない環境におかれた場合に、ＡＶ機器の本体ボタンの操作ではＡＶ機器の機能の調整／設定／変更の操作が制約される。【解決手段】ＡＶ機器本体にリモコン表示ボタンを追加し、リモコンがなくても、このボタンを押すことで画面上にＯＳＤ表示によりリモコン画面を表示する。ＡＶ機器本体についている基本ボタンを用いて上下左右及び決定の操作を行ってＯＳＤ表示されたリモコン上で所望のボタンを選択し、調整／設定／変更の操作を行う。【選択図】図１
2008147995.tif 000002
【特許請求の範囲】
【請求項１】
ＡＶ機器本体にリモコン表示ボタンを追加し、前記リモコン表示ボタンを押すことで画面上にＯＳＤ表示によりリモコン画面を表示し、前記ＡＶ機器本体についている基本操作ボタンを用いて上下左右及び決定の操作を行ってＯＳＤ表示された前記リモコン画面上で所望のボタンを選択し、調整／設定／変更の操作を行うことを特徴とするグラフィックリモコン付きＡＶ機器。
【請求項２】
請求項１に記載のグラフィックリモコン付きＡＶ機器において、
前記ＡＶ機器が表示部一体型のＡＶ機器であり、前記リモコン画面が前記表示部の画面上にＯＳＤ表示されることを特徴とするグラフィックリモコン付きＡＶ機器。
【請求項３】
請求項１に記載のグラフィックリモコン付きＡＶ機器において、
前記ＡＶ機器が表示装置接続型のＡＶ装置であり、前記リモコン画面が前記表示装置の画面上にＯＳＤ表示されることを特徴とするグラフィックリモコン付きＡＶ機器。
【請求項４】
請求項１に記載のグラフィックリモコン付きＡＶ機器において、
前記リモコン画面上で所望のボタンを選択する際に、前記リモコン画面上に前記所望のボタンを指示するカーソルを表示することを特徴とするグラフィックリモコン付きＡＶ機器。
【請求項５】
請求項４に記載のグラフィックリモコン付きＡＶ機器において、
前記リモコン画面上で所望のボタンを選択する際に、前記カーソルの初期位置を設定可能であり、前記初期位置を始点として、前記基本操作ボタンにより、所望のボタンを選択し、調整／設定／変更の操作を行うことを特徴とするグラフィックリモコン付きＡＶ機器。
【請求項６】
請求項４に記載のグラフィックリモコン付きＡＶ機器において、
前記リモコン画面上で所望のボタンを選択する際に、前記所望のボタンのうち、複数の優先グループを設定可能であり、前記基本操作ボタンにより、前記複数の優先グループを順次選択し、次いで、前記基本操作ボタンの他のボタンにより前記優先グループ内の所望のボタンを選択し、調整／設定／変更の操作を行うことを特徴とするグラフィックリモコン付きＡＶ機器。
【発明の詳細な説明】
【技術分野】
【０００１】
本発明は、グラフィックリモコン付きＡＶ機器に関し、ＡＶ（Audio Visual）機器の表示画面にリモコンをＯＳＤ（On Screen Display）表示し、ＯＳＤ表示されたリモコンをＡＶ機器本体に設けられた本体ボタンにより切替／調整／設定する技術に関する。
【背景技術】
【０００２】
ＡＶ機器において多機能化が進む中、ＡＶ機器の本体ボタンについては、基本機能となる数個のボタンのままであり、本体ボタンだけでは、操作ができない調整／設定／切替が存在する。また、操作可能であっても操作がわかりにくい場合や手間がかかる場合もある。そのため、調整や設定の操作はリモコンからの操作が前提となっているのが現状である。
【０００３】
特許文献１には、モニタ画面にリモコンキーを表示し、カーソルでキーを選択すれば、相応のリモコンコードが読み出され、ＶＴＲに送信し制御する遠隔制御システムが記載されている。
【特許文献１】特開２００２−１９１０８１号公報
【発明の開示】
【発明が解決しようとする課題】
【０００４】
近年の放送業界のインフラ増加や、ＡＶ機器の多機能化により、ＡＶ機器の操作性が複雑かつ多様になってきており、リモコンによる操作が前提となっている。実際にリモコンのボタン数は増加傾向にある一方、本体の操作ボタンについては、基本機能ボタンが数個あるままであって、ユーザがリモコンを使用できないような環境におかれた場合、本体ボタンの操作だけだと、切替／調整／設定に制限ができてしまい、本来のＡＶ機器の機能にも制限を与えてしまうことになり、また、本体ボタンの長押しや複数ボタンの同時押しをすることで本来の基本ボタン以外の機能を実現させることもありユーザにとって複雑な操作となるといった問題点があった。
【０００５】
また、上記特許文献１のものは、遠隔制御システムであり、リモコンキーは専用のＡＶセレクタに接続されたモニタに表示され、表示されたリモコンキーは専用のＡＶセレクタ本体の操作ボタンにより操作されるように構成されており、ＶＴＲ、ＤＶＤ、チューナといったＡＶ機器本体の操作ボタンでは表示されたリモコンキーを操作することができない。また、事前にＶＴＲ用リモコン、ＤＶＤ用リモコン、チューナ用リモコンから、コードを遠隔送信することや操作結果を専用のＡＶセレクタ本体に遠隔送信するなどの遠隔操作が必要であって装置構成及び操作が複雑であるという問題点があった。
【課題を解決するための手段】
【０００６】
本発明は、ＡＶ機器本体にリモコン表示ボタンを追加し、リモコン表示ボタンを押すことで画面上にＯＳＤ表示によりリモコン画面を表示し、ＡＶ機器本体についている基本操作ボタンを用いて上下左右及び決定の操作を行ってＯＳＤ表示されたリモコン上で所望のボタンを選択し、調整／設定／変更の操作を行うことを特徴とする。
【発明の効果】
【０００７】
本発明によれば、リモコン操作不能な環境においても、ＡＶ機器の機能に制限を与えることなく操作が可能となる。また、小型テレビであれば、リモコンレスとしてコスト削減が可能である。更に、本体ボタンによる操作性に関しては、グラフィック化することにより視覚情報で確認できる上、通常利用しているリモコンと同様のボタン配置で操作が可能なため、ユーザの操作性が向上する。
【発明を実施するための最良の形態】
【０００８】
以下、図面を用いて、本発明の実施の形態について説明する。
【実施例１】
【０００９】
図１は、本発明の実施例１のグラフィックリモコン付きテレビジョン装置を示している。図１において、１はテレビジョン装置本体、２はテレビジョン装置の表示部、１０はテレビジョン装置本体の操作ボタンを示し、操作ボタン１０のうち、１１は音量ボタン、１２は選局ボタン、１３は入力切切換ボタン、１４は電源ボタン、１５は追加されたリモコン表示ボタンを示している。
【００１０】
２０はテレビジョン装置の表示部２にＯＳＤ表示されたリモコン装置を示している。ＯＳＤ表示されたリモコン（グラフィックリモコン）は、表示部２に実際のリモコンと同等な操作キー配置により視覚的にも同様なグラフィック表示が行われる。
【００１１】
図２は、本発明の実施例１のグラフィックリモコン付きテレビジョン装置を本体の操作キーで操作する場合のフローチャートを示す。
図２のフローチャートでは、ステップ２０１において操作を開始し、ステップ２０２において本体ボタン１０に追加されたリモコン表示ボタン１５を押すと、ステップ２０３においてリモコンがテレビジョン装置１の表示画面２にＯＳＤ表示（グラフィックリモコン表示）される。
【００１２】
次いで、ステップ２０４において、本体ボタン１０の音量キー１１を用いて上下のカーソル移動操作を行い、選局キー１２を用いて左右のカーソル移動操作を行い、ＯＳＤ表示されたリモコン（グラフィックリモコン）上のキーの選択操作を行う。上下左右のカーソル操作に伴い、ＯＳＤ表示されたリモコン上でカーソルが上下左右に移動する。
【００１３】
次いで、ステップ２０５において、本体ボタン１０の入力切換キー１３を用いて、カーソルで選択されているリモコンキーの決定操作を行う。こうして、ＯＳＤ表示されたリモコン上に配置された機能キーの選択・決定の操作を行うとともに、次のステップ２０６において次の操作の有無を判定する。次の操作がない場合は、ステップ２０７に移行して操作を終了する。また、次の操作がある場合は、ステップ２０４に移行して、ＯＳＤ表示されたリモコン上に配置された機能キーの選択・決定の操作を繰り返し、次の操作がなくなれば、ステップ２０７に移行して操作を終了する。
【００１４】
ＯＳＤ表示されたリモコン上を移動するカーソルは、通常のマウス操作における矢印やI字の形状のカーソルでも良いし、リモコン上に配置された操作キーを取り囲む四角形状あるいは操作キーの形状に合致したカーソル形状とすることもできる。また、本体の操作キーとリモコン表示時の操作キーのカーソル操作との関係に対する説明を表示画面上に付加的に表示しても良い。
【００１５】
なお、実施例１では、グラフィックリモコン付きテレビジョン装置について説明したが、テレビジョン装置に限らず、他の表示部一体型のＡＶ装置に本発明の実施例１を適用することが可能できる。
【実施例２】
【００１６】
図３は、本発明の実施例２のグラフィックリモコン付きＤＶＤ（Digital Versatile Decoder）装置を示している。図３において、３１はＤＶＤ装置本体、３２はＤＶＤ装置に接続される表示部、４０はＤＶＤ装置本体の操作ボタンを示し、操作ボタン４０のうち、４１は音量ボタン、４２は選局ボタン、４３は入力切切換ボタン、４４は電源ボタン、４５は追加されたリモコン表示ボタンを示している。
【００１７】
図３において、５０はＤＶＤ装置３１に接続された表示部３２にＯＳＤ表示されたリモコン装置を示している。ＯＳＤ表示されたリモコン（グラフィックリモコン）は、表示部３２に実際のリモコンと同等な操作キー配置により視覚的にも同様なグラフィック表示が行われる。
【００１８】
図４は、本発明の実施例２のグラフィックリモコン付きＤＶＤ装置を本体の操作キーで操作する場合のフローチャートを示す。
図４のフローチャートでは、ステップ４０１において操作を開始し、ステップ４０２において本体ボタン４０に追加されたリモコン表示ボタン４５を押すと、ステップ４０３においてリモコンがＤＶＤ装置３１に接続された表示部３２の表示画面にＯＳＤ表示（グラフィックリモコン表示）される。
【００１９】
次いで、ステップ４０４において、本体ボタン４０の音量キー４１を用いて上下のカーソル移動操作を行い、選局キー４２を用いて左右のカーソル移動操作を行い、ＯＳＤ表示されたリモコン（グラフィックリモコン）上のキーの選択操作を行う。上下左右のカーソル操作に伴い、ＯＳＤ表示されたリモコン上でカーソルが上下左右に移動する。
【００２０】
次いで、ステップ４０５において、本体ボタン４０の入力切換キー４３を用いて、カーソルで選択されているリモコンキーの決定操作を行う。こうして、ＯＳＤ表示されたリモコン上に配置された機能キーの選択・決定の操作を行うとともに、次のステップ４０６において次の操作の有無を判定する。次の操作がない場合は、ステップ４０７に移行して操作を終了する。また、次の操作がある場合は、ステップ４０４に移行して、ＯＳＤ表示されたリモコン上に配置された機能キーの選択・決定の操作を繰り返し、次の操作がなくなれば、ステップ４０７に移行して操作を終了する。
【００２１】
ＯＳＤ表示されたリモコン上を移動するカーソルは、通常のマウス操作における矢印やI字の形状のカーソルでも良いし、リモコン上に配置された操作キーを取り囲む四角形状あるいは操作キーの形状に合致したカーソル形状とすることもできる。また、本体の操作キーとリモコン表示時の操作キーのカーソル操作との関係に対する説明を表示画面上に付加的に表示しても良い。
【００２２】
なお、実施例２では、グラフィックリモコン付きＤＶＤ装置の例について説明したが、
ＤＶＤ装置に限らず、ＶＴＲ（Video Tape Recorder）などの、表示装置を接続する型のＡＶ装置に本発明の実施例２を適用することができる。 
【実施例３】
【００２３】
図５は、本発明の実施例３のグラフィックリモコン付きＡＶ装置の操作フローチャートを示している。本発明の実施例３は、ＡＶ装置としては、図１の表示部一体型のＡＶ装置あるいは図３の表示装置外部接続型のＡＶ装置に適用が可能である。
【００２４】
図５のフローチャートでは、ステップ５０１において操作を開始し、ステップ５０２において本体ボタンに追加されたリモコン表示ボタンを押すと、ステップ５０３においてリモコンがＡＶ装置の表示部の表示画面にＯＳＤ表示（グラフィックリモコン表示）される。
【００２５】
図５のフローチャートではステップ５０４において、リモコン表示ボタンを押した際のリモコンのＯＳＤ表示において、最初のカーソル位置を設定することができる。本体の操作ボタンでは、通常、音量調整や選局、入力切替が可能であるので、ＯＳＤ表示によるリモコンにおける最初のカーソル位置としては、例えば、地上Ａ、地上Ｂ、ＢＳ、ＣＳといった放送の切替ボタン、あるいは、番組表、裏番組の番組情報の切替ボタンが選択される。
【００２６】
ステップ５０４においては、最初の段階でＯＳＤ表示リモコン上の優先カーソル位置の設定が行われ、一旦、優先カーソル位置が設定されると、次回からは、ステップ５０４では、設定された優先カーソル位置にカーソルが自動的に移動する。即ち、リモコン表示ボタンを押して、ＯＳＤ表示のリモコンが表示される際に、設定された優先カーソル位置、例えば、地上Ａ、地上Ｂ、ＢＳ、ＣＳの放送切替ボタンの「地上Ａ」に、カーソルが自動的に設定される。
【００２７】
なお、優先カーソル位置については変更が可能であり、上記のステップ５０４における初期設定のほか、メニュー画面において、優先カーソル位置を選択・設定するようにすることもできる。
【００２８】
次いで、ステップ５０５において、優先カーソル位置を始点として、本体ボタンの音量キーを用いて上下のカーソル移動操作を行い、選局キーを用いて左右のカーソル移動操作を行い、ＯＳＤ表示されたリモコン（グラフィックリモコン）上のキーの選択操作を行う。上下左右のカーソル操作に伴い、ＯＳＤ表示されたリモコン上でカーソルが上下左右に移動する。
【００２９】
次いで、ステップ５０６において、本体ボタンの入力切換キーを用いて、カーソルで選択されているリモコンキーの決定操作を行う。こうして、ＯＳＤ表示されたリモコン上に配置された機能キーの選択・決定の操作を行うとともに、次のステップ５０７において次の操作の有無を判定する。次の操作がない場合は、ステップ５０８に移行して操作を終了する。また、次の操作がある場合は、ステップ５０５に移行して、ＯＳＤ表示されたリモコン上に配置された機能キーの選択・決定の操作を繰り返し、次の操作がなくなれば、ステップ５０８に移行して操作を終了する。
【００３０】
ＯＳＤ表示されたリモコン上を移動するカーソルは、通常のマウス操作における矢印やI字の形状のカーソルでも良いし、リモコン上に配置された操作キーを取り囲む四角形状あるいは操作キーの形状に合致したカーソル形状とすることもできる。また、本体の操作キーとリモコン表示時の操作キーのカーソル操作との関係に対する説明を表示画面上に付加的に表示しても良い。
【実施例４】
【００３１】
図６は、本発明の実施例４のグラフィックリモコン付きＡＶ装置の操作フローチャートを示している。本発明の実施例４は、ＡＶ装置としては、図１の表示部一体型のＡＶ装置あるいは図３の表示装置外部接続型のＡＶ装置に適用が可能である。
【００３２】
図６のフローチャートでは、ステップ６０１において操作を開始し、ステップ６０２において本体ボタンに追加されたリモコン表示ボタンを押すと、ステップ６０３においてリモコンがＡＶ装置の表示部の表示画面にＯＳＤ表示（グラフィックリモコン表示）される。
【００３３】
図６のフローチャートではステップ６０４において、リモコン表示ボタンを押した際のリモコンのＯＳＤ表示において、各種操作ボタンの内から優先グループを設定することができる。本体の操作ボタンでは、通常、音量調整や選局、入力切替が可能であるので、ＯＳＤ表示によるリモコンにおける優先グループとしては、例えば、地上Ａ、地上Ｂ、ＢＳ、ＣＳといった放送の切替ボタン群、あるいは、番組表、裏番組の番組情報の切替ボタン群が、第一優先グループ、第２優先グループ等として選択される。
【００３４】
ステップ６０４においては、初期の段階でＯＳＤ表示リモコン上の優先グループの設定が行われ、一旦、優先グループが設定されると、次回からは、ステップ６０４では、設定された優先グループの位置にカーソルが自動的に移動する。即ち、リモコン表示ボタンを押して、ＯＳＤ表示のリモコンが表示される際に、設定された優先グループの位置、例えば、地上Ａ、地上Ｂ、ＢＳ、ＣＳの放送切替ボタン群の位置にカーソルが自動的に設定される。
【００３５】
なお、優先グループの設定については変更が可能であり、上記のステップ６０４における初期設定のほか、メニュー画面において、各優先グループを選択・設定するようにすることもできる。
【００３６】
次いで、ステップ６０５において、第一の優先グループ位置を始点として、本体ボタンの音量キーを用いて、優先グループの選択のための移動操作を行う。例えば、音量キーボタンを用いて、例えば、第一の優先グループ（地上Ａ、地上Ｂ、ＢＳ、ＣＳの放送切替ボタン群）から、第二の優先グループ（番組表、裏番組の番組情報切替ボタン群）から第三の優先グループ（静止、デジタル登録、ＧＲ、ＡＶポジションの切替ボタン群）へと優先グループを順次選択することができる。
【００３７】
優先グループの指示方法としては、同じ優先グループの複数の操作キーを強調表示したり、カラー表示したり、同じ優先グループの複数の操作キーを囲む矩形のカーソルを用いて表示することができる。また、移動先であの次の優先グループについても強調表示などにより行き先を示すことができる。
【００３８】
次いで、ステップ６０６において、本体ボタンの選択キーを用いて、同じ優先グループ内の各操作キーの選択のための移動操作を行い、次いで、ステップ６０７において、本体ボタンの入力切換キーを用いて、カーソルで選択されているリモコンキーの決定操作を行う。
【００３９】
こうして、ＯＳＤ表示されたリモコン上に配置された機能キーの選択・決定の操作を行うとともに、次のステップ６０８において次の操作の有無を判定する。次の操作がない場合は、ステップ６０９に移行して操作を終了する。また、次の操作がある場合は、ステップ６０５に移行して、ＯＳＤ表示されたリモコン上に配置された機能キーの選択・決定の操作を繰り返し、次の操作がなくなれば、ステップ６０９に移行して操作を終了する。
【００４０】
なお、以上の説明では、優先グループの選択は音量キーで行い、優先グループ内の操作キーの選択は選局キーで行い、決定操作は入力切換キーで行うと説明したが、音量キー、選局キー、入力切換キーは、ＡＶ機器の本体ボタンの一例であり、ＯＳＤ表示リモコンの各優先グループの選択、各優先グループ内の操作キーの選択、各操作キーの決定操作のための、本体キーとしては、音量キー、選局キー、入力切換キーに限らず、任意の本体キーに対応させることができる。
【図面の簡単な説明】
【００４１】
【図１】図１は、本発明の実施例１のグラフィックリモコン付きテレビジョン装置を示す図である。
【図２】図２は、本発明の実施例１のグラフィックリモコン付きテレビジョン装置の操作のフローチャートである
【図３】図３は、本発明の実施例２のグラフィックリモコン付きＤＶＤ装置を示している。
【図４】図４は、本発明の実施例２のグラフィックリモコン付きＤＶＤ装置の操作のフローチャートである
【図５】図５は、本発明の実施例３のグラフィックリモコン付きＡＶ装置の操作フローチャートである。
【図６】図６は、本発明の実施例４のグラフィックリモコン付きＡＶ装置の操作フローチャートである。
【符号の説明】
【００４２】
１    テレビジョン装置本体
２    テレビジョン装置の表示部
１０    テレビジョン装置本体の操作ボタン
１１    音量ボタン
１２    選局ボタン
１３    入力切切換ボタン
１４    電源ボタン
１５    追加されたリモコン表示ボタン
２０    ＯＳＤ表示されたリモコン装置
３１    ＤＶＤ装置本体
３２    ＤＶＤ装置に接続される表示部
４０    ＤＶＤ装置本体の操作ボタン
４１    音量ボタン
４２    選局ボタン
４３    入力切切換ボタン
４４    電源ボタン
４５    追加されたリモコン表示ボタン
５０    ＯＳＤ表示されたリモコン装置
【図１】
2008147995.tif 000003
【図２】
2008147995.tif 000004
【図３】
2008147995.tif 000005
【図４】
2008147995.tif 000006
【図５】
2008147995.tif 000007
【図６】
2008147995.tif 000008